(57)【要約】    【課題】縦長および横長の両方の取付口（開口）に設置することができる雨水浸入防止装置を提供する。    【解決手段】取付口３２に装着されるホルダ３３と、ホルダ３３に保持される二つの雨除け３５とを備える。取付口３２の形状に合わせて配置できるように、ホルダ３３を縦置きおよび横置きの二通りの状態で使用可能とする。ホルダ３３に雨除け嵌合部６１を設ける。雨除け嵌合部６１を長方形の枠状として、長辺を短辺の二倍の長さに設定する。雨除け３５の基端部の輪郭を正方形にする。二つの雨除け３５を上下に並べても左右に並べても、その二つの雨除け３５を一体として見たときに、基端部の輪郭が同じ形状（向きは異なる）になる。雨除け３５の配列方向を選択して、縦置きにしたホルダ３３又は横置きにしたホルダ３３に装着する。【選択図】図５
2006234304.tif 000002
【特許請求の範囲】
【請求項１】
室内外を仕切る壁の取付口に装着されるホルダと、該ホルダに保持される雨除けとを備え、
前記ホルダは、略正方形の枠状の雨除け嵌合部を備え、縦置きおよび横置きの二通りの状態で使用可能とされ、
前記雨除けは、前記雨除け嵌合部に嵌合される部位の輪郭が前記雨除け嵌合部と略同一の形状とされ、且つ主に一方向からの雨を除けるように方向性を有する雨除け部を形成してなり、
前記雨除けは、前記ホルダの縦置きおよび横置きのいずれの場合でも、前記雨除け部が同じ方向からの雨を除ける向きに前記雨除け嵌合部に嵌合可能とされたことを特徴とする雨水浸入防止装置。
【請求項２】
室内外を仕切る壁の取付口に装着されるホルダと、該ホルダに保持される複数の雨除けとを備え、
前記ホルダは、短辺と該短辺の略複数倍の長さの長辺とを有する長方形の枠状の雨除け嵌合部を備え、縦置きおよび横置きの二通りの状態で使用可能とされ、
前記雨除けは、前記雨除け嵌合部に嵌合される部位の輪郭が略正方形とされ、該正方形の各辺が前記雨除け嵌合部の短辺と略同一の長さに設定されたことを特徴とする雨水浸入防止装置。
【請求項３】
前記雨除けに複数の係止部が設けられ、前記雨除け嵌合部に前記係止部を係止される複数の被係止部が設けられ、
前記係止部は、正方形の前記輪郭の各辺に、周方向で各辺の始端から同一距離の位置に設けられたことを特徴とする請求項２に記載の雨水浸入防止装置。
【請求項４】
前記係止部として、前記雨除けの前記輪郭から外方に突出する複数の係止爪が設けられ、該係止爪は、前記輪郭の各辺の中心から周方向で同一方向かつ同一距離だけずれた位置に設けられ、前記輪郭の各辺の中心に対して前記係止爪と対称な位置に、隣接する雨除けの係止爪を収容する切欠が設けられたことを特徴とする請求項３に記載の雨水浸入防止装置。
【請求項５】
前記ホルダは、その中央穴を虫除け用のネットで覆われたことを特徴とする請求項１〜４のいずれかに記載の雨水浸入防止装置。
【請求項６】
前記ホルダは、室内側に突出するダクト取付枠が設けられたことを特徴とする請求項１〜５のいずれかに記載の雨水浸入防止装置。
【請求項７】
前記取付口は、上下開閉式又は左右開閉式の窓に装着された取付パネルに形成されたことを特徴とする請求項１〜６のいずれかに記載の雨水浸入防止装置。
【請求項８】
前記取付口は、可搬式の一体型空気調和機に設けられたダクトの端部を取り付けられることを特徴とする請求項１〜７のいずれかに記載の雨水浸入防止装置。
【発明の詳細な説明】
【技術分野】
【０００１】
本発明は、例えば可搬式の一体型空気調和機のダクトの端部を取り付けるよう壁に設けられた取付口（開口）への雨水の浸入を防止するための雨水浸入防止装置に関するものである。
【背景技術】
【０００２】
一般に、室外に排気するためのダクトの端部などは、壁に設けられた取付口（開口）に取り付けられる。この取付口には、室外からの雨の浸入を防止するための雨除けが取り付けられている（例えば特許文献１）。雨除けは、上方あるいは斜め上方から浸入する雨を遮る構造とされ、その上下方向および左右方向の大きさを取付口の形状に応じた大きさに設定される。
【０００３】
また、壁（窓を含む）に取付口を設けるための手段として、窓の一部に、取付口を形成した取付パネルを装着することがあり、その取付パネルは、窓（上下開閉式又は左右開閉式）の開閉方式に応じて横置き又は縦置きで設置される。取付パネルに形成される取付口は、取付パネルの長さ方向に大きく設定されて幅方向に小さく設定される。これにより、取付パネルに所定の面積の取付口を形成しつつ、取付パネルを幅方向（窓の開閉方向）に小さくしている。
【特許文献１】特開平７−１９０４３６号公報
【発明の開示】
【発明が解決しようとする課題】
【０００４】
ところが、取付パネルに同じ形状の取付口を設けた場合であっても、窓の開閉方式の違いによって取付パネルの向きが変われば、取付口の上下方向および左右方向の大きさが異なることになる。そのため、取付パネルの向きに応じて、取付口に取り付ける雨除けの大きさを変える必要がある。
【０００５】
本発明は、縦長および横長の両方の取付口に設置することができる雨水浸入防止装置を提供することを目的とする。
【課題を解決するための手段】
【０００６】
上記課題に鑑み、本発明に係る雨水浸入防止装置は、室内外を仕切る壁の取付口に装着されるホルダと、ホルダに保持される雨除けとを備えたものであり、そのホルダに、略正方形の枠状の雨除け嵌合部を備え、雨除けに、主に一方向からの雨を除けるようにした方向性を有する雨除け部を形成したものである。さらに、ホルダを縦置きおよび横置きの二通りの状態で使用可能とし、雨除けのうち、ホルダの雨除け嵌合部に嵌合される部位の輪郭を雨除け嵌合部と略同一の形状（略正方形）としたものである。これにより、雨除けを、ホルダの縦置きおよび横置きのいずれの場合でも、雨除け部によって同じ方向からの雨を除ける向きで雨除け嵌合部に嵌合可能としている。
【０００７】
また、本発明に係る別の雨水浸入防止装置は、室内外を仕切る壁の取付口に装着されるホルダと、ホルダに保持される複数の雨除けとを備えたものであり、そのホルダに、短辺とこの短辺の略複数倍の長さの長辺とを有する長方形の枠状の雨除け嵌合部を備えたものである。さらに、ホルダを縦置きおよび横置きの二通りの状態で使用可能とし、雨除けのうち、ホルダの雨除け嵌合部に嵌合される部位の輪郭を略正方形として、その正方形の各辺を雨除け嵌合部の短辺と略同一の長さに設定したものである。
【０００８】
この構成によれば、各雨除けのうち、少なくともホルダの雨除け嵌合部に嵌合する部位の輪郭を正方形にしているので、複数の雨除けを上下に並べても左右に並べても、その複数の雨除けを一体として見たときに、ホルダの雨除け嵌合部に嵌合する部位の輪郭が同じ形状（向きは異なる）になる。そのため、雨除けの配列方向を選択することによって、各雨除けの上下方向を正しく設定したまま、縦置きにしたホルダにも横置きにしたホルダにも装着することができる。
【０００９】
すなわち、取付口の形状が縦長である場合には、取付口に縦置きにしたホルダを装着し、その雨除け嵌合部に上下に並べた雨除けを装着すればよい。一方、取付口の形状が横長である場合には、取付口に横置きにしたホルダを装着し、その雨除け嵌合部に左右に並べた雨除けを装着すればよい。これにより、一種類の雨水浸入防止装置により、縦長および横長の取付口への雨水の浸入を防止することができる。
【００１０】
なお、断面長方形の雨除けを用いる場合にも、雨除けの上下方向と左右方向とを入れ替えることによって、縦置きおよび横置きの二通りの状態のホルダに装着することが考えられるが、雨除けは、上方あるいは斜め上方から浸入する雨を遮る構造であるため、単に雨除けの向きを変えただけでは雨の浸入を防止することができない。
【００１１】
雨除けに複数の係止部を設けて、雨除け嵌合部に係止部を係止する複数の被係止部を設けることにより、雨除け嵌合部に雨除けを係止することができる。この場合、雨除けの係止部を正方形の輪郭の各辺に、周方向で各辺の始端から同一距離の位置に設ければ、ホルダに対して相対的に雨除けの向きを変えても、被係止部の位置に別の係止部が位置するので、雨除けの向きに関わらず、雨除け嵌合部に雨除けを係止することができる。
【００１２】
係止部として、雨除けの輪郭から外方に突出する複数の係止爪を設ける場合、その係止爪を輪郭の各辺の中心から周方向で同一方向かつ同一距離だけずれた位置に設ける。輪郭の各辺の中心に対して係止爪と対称な位置に切欠を設ければ、この切欠に、隣接する雨除けの係止爪を収容することができるので、正方形の輪郭から突出する係止爪を設ける場合であっても、複数の雨除けを実質的に隙間のないように並べることができる。
【００１３】
ホルダの中央穴を虫除け用のネットで覆ったり、ホルダに室内側に突出するダクト取付枠を設けたりすることもできる。これにより、雨除け用のホルダをネット用やダクト用のホルダとしても兼用することができる。
【００１４】
取付口は、直接に壁に開口を設けたものであってもよいが、窓に装着される取付パネルに取付口を形成すれば、壁に手を加えることなく既存の窓に取付口を設けることができる。このような窓に装着する取付パネルは、窓の開閉方式（上下開閉式又は左右開閉式）に応じて横置き又は縦置きで装着されるので、取付口が縦長になったり横長になったりしやすい。そのため、縦長および横長の二通りの取付口に雨除けを取付可能にしようとする本発明の好適な態様を提供することができる。
【００１５】
取付口は、それが開口であることを要するものであれば、換気装置のダクトや換気扇を取り付けるものであってもよく、さらに単なる換気口であってもよいが、可搬式の一体型空気調和機に設けられたダクトの端部を取り付けるためのものであれば、縦長および横長の二通りの取付口に雨除けを取付可能にしようとする本発明を採用するのに好適である。
【００１６】
つまり、可搬式の一体型空気調和機は、場所を移動させる度にそのダクトの端部を別の取付口に付け外しするので、同じ形状の取付口を複数の場所に設けることになる。この取付口への雨水の浸入を防止するために本発明を採用すれば、取付口を設ける位置の状況に応じて、その取付口を縦長にしたり横長にしたりしても、取付口への雨水の浸入を防止することができる。
【発明の効果】
【００１７】
本発明によると、雨除けの輪郭を正方形に設定しているので、複数の雨除けを一体としてみたとき、その複数の雨除けを上下又は左右に並べることにより、ホルダで保持する部位を縦長および横長のいずれにも設定することができる。これにより、縦置きおよび横置きのいずれの配置のホルダにも雨除けを装着することができ、縦長および横長の二通りの取付口への雨水の浸入を一種類の雨水浸入防止装置で防止することができる。
【００１８】
取付口を形成した取付パネルを窓に装着する場合に、その窓が上下開閉式および左右開閉式のうちのいずれであっても、一種類の雨水浸入防止装置で取付口への雨水の浸入を防止することができる。
【００１９】
複数の雨除けは、互いに同じ形状であり、雨除けの成型に共通の金型を使用することができるので、雨除けの数が増えて部品数が多くなったとしても、そのコストを安くすることができる。
【発明を実施するための最良の形態】
【００２０】
以下、本発明に係る雨水浸入防止装置を実施するための最良の形態について、図面を用いて説明する。まず、本発明に係る雨水浸入防止装置を装着する取付口３２に端部を取り付けられるダクト７を備えた一体型空気調和機について説明する。
【００２１】
一体型空気調和機では、図１、２に示すように、キャビネット１に、圧縮機２、凝縮器３、蒸発器４および絞り機構（図示せず）が内装され、これらによって冷凍サイクルが形成される。そして、空気調和機は、冷風を発生させて、室内を冷房する冷房運転を行う。そのため、空気調和機は、蒸発器４に対する送風ファン５と、凝縮器３に対する排気ファン６と、排気用のダクト７と、冷房運転によって発生したドレン水を処理するためのポンプ８とを備えている。
【００２２】
キャビネット１は、図３、４に示すように、前面パネル１０、左右一対の側板１１、背板１２によって囲まれた構造とされる。そして、キャビネット１は、上側の冷房室１３と下側の排熱室１４とに区画されている。冷房室１３と排熱室１４とは、仕切り板１５によって仕切られ、上下の空間は断熱されている。
【００２３】
冷房室１３には、蒸発器４および送風ファン５が収容され、排熱室１４には、圧縮機２、凝縮器３、排気ファン６、ポンプ８が収容されている。冷房室１３では、前側に蒸発器４が配置され、背面側にシロッコファンからなる送風ファン５が配置されている。排熱室１４では、前側に凝縮器３が配置され、背面側にシロッコファンからなる排気ファン６が配置されている。凝縮器３と排気ファン６との間に、圧縮機２とポンプ８とが左右にそれぞれ配置されている。凝縮器３は、蒸発器４の下方に位置し、蒸発器４と凝縮器３とは上下に並んでいる。
【００２４】
キャビネット１の前側は開口されており、この開口が前面パネル１０によって覆われている。蒸発器４および凝縮器３は、開口に面しており、前面パネル１０と蒸発器４および凝縮器３との間には間隙１６が形成される。この間隙１６に、フィルタ１７が着脱可能に装着されている。
【００２５】
前面パネル１０に、前面吸込口２０と吹出口２１とが形成されている。また、前面パネル１０と側板１１との間に、側面吸込口２２が形成されている。前面吸込口２０は、前面パネル１０の中央に位置して、縦方向に配されている。前面吸込口２０および側面吸込口２２は、間隙１６に連通している。吹出口２１は、前面パネル１０の上部に位置し、水平方向から斜め上方向に向かって開口している。吹出口２１には、ルーバ２３が設けられ、ルーバ２３はモータによって揺動される。吹出口２１は冷房室１３に連通しており、前面吸込口２０および側面吸込口２２から蒸発器４を経て吹出口２１に至る通風路が形成される。これによって、キャビネット１の前面からの吸い込みおよび前方への吹き出しを実現できる。
【００２６】
排熱室１４は、冷房室１３よりも背面側に突出しており、排熱室１４の上面に排気口２４が形成されている。排気口２４に、蛇腹状のダクト７の一端が取り付けられている。ダクト７の他端は、壁２５の開口部に取り付けられ、排熱室１４がダクト７を介して室外と連通する。したがって、排熱室１４では、前面吸込口２０および側面吸込口２２から凝縮器３を経て排気口２４に至る通風路が形成される。この通風路は、ダクト７に連通して、室外へと通じている。
【００２７】
ダクト７の一端は、排気口２４に対して回転自在かつ着脱自在とされる。すなわち、排気ファン６のケーシング２６に形成された排気口２４に、ファンガード２７が回転自在に嵌め込まれている。ダクト７の一端には、ダクトコネクタ２８が設けられている。このダクトコネクタ２８が、ファンガード２７に着脱自在に装着されるが、ダクトコネクタ２８はファンガード２７に対して回転しないように取り付けられている。ダクト７とファンガード２７とが一体的に回転することにより、ダクト７とキャビネット１とは相対的に回転する。
【００２８】
ダクト７の他端は、壁２５の開口部に着脱可能に取り付けられている。すなわち、開口部にある窓３０を利用して、ダクト７を取り付けるための取付パネル３１が窓枠に固定される。窓３０は、上げ下げ窓、引き違い窓のいずれでもよく、取付パネル３１は、窓３０の大きさに合わせて長さを可変できる。
【００２９】
取付パネル３１の取付口３２にホルダ３３が嵌め込まれ、ホルダ３３に、ダクト７の他端に設けられたダクトコネクタ３４が着脱可能に装着される。ダクトコネクタ３４がホルダ３３に装着されることにより、ホルダ３３は取付パネル３１から抜けないように取り付けられる。ホルダ３３の室外側には、雨が入り込まないように、雨除け３５が取り付けられている。したがって、ダクトコネクタ３４をホルダ３３から外すことにより、ダクト７を窓３０から取り外すことができ、さらにホルダ３３も取付パネル３１から取り外すことができる。ここで、ダクト７を外したとき、取付パネル３１の取付口３２が開いたままになるので、取付口３２を塞ぐカバーが取付パネル３１に設けられている。なお、図１中、３６は換気孔であり、換気扇が取り付け可能とされる。
【００３０】
また、キャビネット１の底面には、車輪４０が取り付けられている。したがって、本空気調和機は移動可能とされ、伸縮可能なダクト７を付けたまま室内で移動させることができる。さらに、ダクト７を外すことにより、空気調和機を他の室内に持ち運ぶことができ、任意の場所で使用することができる。
【００３１】
ところで、蒸発器４では、室内空気の熱交換を行うとき、空気中の水分が結露して、ドレン水が発生する。蒸発器４の下方に、ドレン水を受けるドレンパン４１が設けられ、ドレンパン４１の下方に、滴下皿４２が設けられている。ドレンパン４１は、滴下皿４２内に収容され、滴下皿４２は、キャビネット１に取り付けられている。ドレンパン４１に滴り落ちたドレン水は、滴下皿４２に流れ落ち、さらに滴下皿４２から凝縮器３に流れ落ちる。ドレン水は、凝縮器３を通過するときに、凝縮器３を冷却しながら蒸発する。凝縮器３の下方には、ドレン受皿４３が設けられ、凝縮器３を伝って流れてきたドレン水がドレン受皿４３に溜まる。ドレン受皿４３は、排熱室１４の底に載置されており、ドレン受皿４３には、ドレン抜き孔４４が形成され、栓がされている。栓を抜くと、ドレン水が排出される。
【００３２】
そして、ドレン受皿４３に溜まったドレン水を処理するため、ポンプ８によってドレン水を再び凝縮器３に導き、蒸発させている。ポンプ８は、ドレン受皿４３内に設置され、ポンプ８にドレンホース４５が接続され、ドレンホース４４が滴下皿４２に接続される。ポンプ８は、ドレン水を吸い込んで滴下皿４２に送り込む。ドレン水は、滴下皿４２から流れ落ちて、凝縮器３の熱によって蒸発する。このように、ドレン水を循環させることによって、外部に排水することなく、内部において排水処理ができる。なお、ドレンホース４５の途中には、流路を切り替えるためのコックが設けられ、排水パイプ４６が接続されている。コックを回すことにより、滴下皿４２に向かって循環する流路と、排水パイプ４６に向かって排水される流路とに切り替えられる。
【００３３】
この空気調和機は、圧縮機２、送風ファン５、排気ファン６、ポンプ８を駆動制御する制御装置を備えている。マイコンからなる制御装置は、キャビネット１に内装され、図示しないリモコンあるいはキャビネットに設けられた操作スイッチからの操作信号に応じて、冷房運転、除湿運転、換気運転といった各種運転を実行する。また、前面パネル１０に、ＬＥＤ等からなる表示器５０が設けられており、制御装置は、各種運転に応じて表示器５０の点灯を制御したり、ドレン水が満水になったときの警告として表示器５０の点灯あるいは点滅といった制御を行う。
【００３４】
冷房運転では、室内空気が、送風ファン５の駆動によって前面吸込口および側面吸込口から吸い込まれ、前面パネル１０の間隙１６から蒸発器４を通り抜ける。このとき、吸い込まれた空気は、蒸発器４によって冷却され、冷風となる。冷風は、吹出口２１から室内に吹き出される。
【００３５】
一方、排気ファン６の駆動によって、室内空気が、前面吸込口２０および側面吸込口２２から吸い込まれ、前面パネル１０の間隙１６から凝縮器３を通り抜ける。このとき、吸い込まれた空気は、凝縮器３によって暖められ、温風となる。温風は、排気口２４からダクト７を通り、室外に排出される。
【００３６】
冷房運転により蒸発器４から発生したドレン水は、流れ落ちてドレン受皿４３に溜まる。ドレン水が所定水位まで溜まると、ポンプ８が作動して、ドレン受皿４３のドレン水を汲み上げて、滴下皿４２に導く。汲み上げられたドレン水は、凝縮器３の表面に沿って流れ落ち、蒸発する。蒸発しなかったドレン水は、ドレン受皿４３に溜まり、再び汲み上げられ、蒸発するまで循環される。
【００３７】
除湿運転では、冷房運転と同様に圧縮機２、送風ファン５、排気ファン６、ポンプ８が駆動制御される。ただし、ドレン受皿４３に溜まったドレン水は循環させず、コックの操作によりドレン水を排水ポンプ４６から排出する。この場合、ダクト７を外しておく。排熱室１４を通って除湿された空気は、排気口２４から室内に排出される。そのため、室内の温度を変えずに除湿できる。
【００３８】
換気運転では、圧縮機２、送風ファン５およびポンプ８は停止し、排気ファン６のみが駆動される。キャビネット１の前方から吸い込まれた室内の空気は、排熱室１４からダクト７を経て室外に排出される。このとき、壁２５の換気孔３６から室外の空気が入り込み、室内の換気が行われる。
【００３９】
次に、取付口３２への雨水の浸入を防止するための雨水浸入防止装置６０についてより詳しく説明する。
【００４０】
図５〜図８に示すように、雨水浸入防止装置６０は、一体型空気調和機のダクト７の端部を取り付けられる取付口３２への雨水の浸入を防止するためのものであり、取付口３２に装着されるホルダ３３と、ホルダ３３に保持される二つの雨除け３５とを備え、そのホルダ３３に、雨除け３５の基端部を嵌合保持する長方形の枠状の雨除け嵌合部６１が形成されている。
【００４１】
取付口３２は、窓３０に装着される取付パネル３１に開口を形成してなり、ダクト７の端部に装着された筒状のダクトコネクタ３４が取り付けられる。この取付口３２は、上下開閉式の窓３０（上げ下げ窓）に装着するよう取付パネル３１を横置きにした場合には横長形状になり、左右開閉式の窓３０（引き違い窓）に装着するよう取付パネル３１を縦置きにした場合には縦長形状になる。
【００４２】
図５および図６に示すように、横長の取付口３２にホルダ３３を装着する場合、ホルダ３３を横置きにして、その雨除け嵌合部６１に雨除け３５を左右に並べて装着するようになっている。一方、図７および図８に示すように、縦長の取付口３２にホルダ３３を装着する場合、ホルダ３３を縦置きにして、その雨除け嵌合部６１に雨除け３５を上下に並べて装着するようになっている。
【００４３】
二つの雨除け３５を一体としてみたとき、雨除け３５を左右に並べても上下に並べてもその基端部が同じ形状になるように、個々の雨除け３５は、その基端部の輪郭を正方形に設定されている。二つの雨除け３５の基端部を嵌合する雨除け嵌合部６１は、その短辺を雨除け３５の基端部の各辺よりもわずかに大きく設定され、長辺を短辺の二倍の長さに設定されている。
【００４４】
雨除け３５の基端部には、その輪郭から外方に突出する四つの係止爪６２が設けられ、そのうちの合計六つ（各雨除け３５に三つずつ）の係止爪６２が雨除け嵌合部６１に形成された六つの係止穴６３に係止される。係止爪６２は、正面側（室外側）から見たとき、雨除け３５の基端部の輪郭を構成する正方形の各辺の中心から反時計回りに距離（ａ）だけずれた位置に設けられている。
【００４５】
正面側（室外側）から見たとき、雨除け３５の基端部の輪郭を構成する正方形の各辺の中心から時計回りに距離（ａ）だけずれた位置には、切欠６４が設けられている。切欠６４は、雨除け３５の基端部の輪郭の各辺の中心に対して係止爪６２と対称に位置し、二つの雨除け３５を左右又は上下に並べた状態において、他方の雨除け３５の係止爪６２のうち、雨除け嵌合部６１の係止穴６３に係止されずに残った係止爪６２を収容するようになっている。これにより、二つの雨除け３５が隙間なく並設可能とされる。
【００４６】
図９に示すように、ホルダ３３は、中央穴３３ａを有する長方形の額縁状とされ、その中央穴３３ａを取り囲むように、室外側に雨除け嵌合部６１が突設され、室内側に取付口３２に内嵌される長方形の角筒状の内嵌部６５が突設されている。ホルダ３３の中央穴３３ａは、補強材６６によって二つの部位に仕切られ、室外側から止着された虫除け用のネット６７で覆われている。
【００４７】
雨除け嵌合部６１は、取付口３２よりも大きく設定され、取付パネル３１よりも室外側に位置するようになっている。雨除け嵌合部６１の上下面および左右面には、合計六つの係止穴６３が形成され、この係止穴６３に雨除け３５の係止爪６２を係止して二つの雨除け３５を室外側に保持する。係止穴６３は、雨除け３５の基端部に設けられた係止爪６２に対応するよう位置を設定される。
【００４８】
内嵌部６５は、取付口３２に内嵌可能なように取付口３２よりもわずかに小さく設定され、その上下面のうちの当該内嵌部６５のコーナー付近に、合計四つの係止爪６８が設けられている。内嵌部６５を室外側から取付口３２に内嵌した後、雨除け嵌合部６１が取付口３２の周縁部に当接するまで、ホルダ３３を押し込むことにより、係止爪６８が取付口３２の周縁部に係止されて、ホルダ３３が取付口３２に装着される。
【００４９】
さらに、内嵌部６５の上下面には、各係止爪６８の近傍かつ左右方向で中央側に合計四つの係止穴６９が形成され、この係止穴６９に、内嵌部６５に室内側から内嵌されたダクトコネクタ３４の係止爪７０が係止される。このように、内嵌部６５は、室内側に突出するダクト取付枠としても機能する。
【００５０】
図１０に示すように、雨除け３５は、平行かつ垂直に配置された二枚の側板３５ａの上端を天板３５ｂで、下端を底板３５ｃで繋ぐと共に、二枚の側板３５ａに三枚の雨除け板３５ｄを架け渡してなる。天板３５ｂおよび雨除け板３５ｄは、正面側（室外側）を斜め下方に向けて傾斜して設けられ、上方および斜め上方からの雨の吹き込みを防止する。
【００５１】
二つの雨除け３５は、互いに同じ形状に設定され、各雨除け３５の下面は、上面を下方に平行移動した曲面に含まれる形状に設定される。これにより、二つの雨除け３５が上下および左右に隙間なく並設可能とされる。
【００５２】
図１１に示すように、取付パネル３１は、上下縁に室内側に突出するフランジ７１を有する断面略コ字形の横長の長方形板とされ、室内外を仕切る壁２５の窓３０に固定される。取付パネル３１の端部付近（図１１における左側）に形成された長方形の開口がダクト７を取り付けるための取付口３２とされる。
【００５３】
次に、図１２および図１３を用いて取付口３２に雨水浸入防止装置６０を装着する手順を説明する。まず、窓３０に装着した取付パネル３１の取付口３２に、室外側からホルダ３３の内嵌部６５を内嵌して、内嵌部６５の係止爪６８を取付口３２の周縁部に係止することにより、ホルダ３３を取付口３２に装着する。
【００５４】
内嵌部６５に室内側からダクトコネクタ３４の先端部７２を内嵌し、ダクトコネクタ３４の係止爪７０を内嵌部６５の係止穴６９に係止する。これにより、ホルダ３３およびダクトコネクタ３４を介して、ダクト７の端部が取付口３２に取り付けられる。さらに、ダクトコネクタ３４の先端部７２が内嵌部６５の係止爪６８の内向きの変位を規制するので、取付口３２からのホルダ３３の外れが阻止される。
【００５５】
ホルダ３３の雨除け嵌合部６１に室外側から雨除け３５の基端部を嵌合させて、雨除け３５の係止爪６２を雨除け嵌合部６１の係止穴６３に係止することにより、取付口３２への雨水浸入防止装置６０の装着が完了する。
【００５６】
なお、本発明は、上記の実施の形態に限定されるものではなく、本発明の範囲内において、適宜変更を加えることができる。例えば、取付口３２は、一体型空気調和機のダクト７の端部を取り付けるためのものに限らず、換気装置などの他の機器のダクトを取り付けるためのものや、換気扇を直接に取り付けるもの、単なる換気口などであってもよい。窓３０に取り付ける取付パネル３１に取付口３２を形成する代わりに、壁２５に直接に取付口３２を形成してもよい。
【００５７】
複数の雨除け３５を設けるだけでなく、一つだけの雨除け３５を設けてもよい。この場合、雨除け嵌合部６１を略正方形の枠状に形成して、雨除け３５の基端部の輪郭を雨除け嵌合部６１と略同一の形状（略正方形）にすることにより、ホルダ３３が縦置きおよび横置きのいずれであっても、雨除け嵌合部６１に雨除け３５を嵌合可能であるようにすればよい。
【００５８】
また、複数の雨除け３５を設ける場合には、その雨除け３５は、二つに限らず三つ以上であってもよい。この場合、雨除け３５の個数に対応させて、雨除け嵌合部６１の長辺と短辺との長さの比を設定すればよい。
【００５９】
雨除け３５に係止爪６２を形成する代わりに、係止穴などの他の係止部を設けてもよい。このような外方に突出しない係止部を採用する場合には、雨除け３５に設ける切欠６４を不要にすることができ、さらに、係止部を雨除け３５の基端部の輪郭を構成する各辺の中心に設けることができる。また、係止部および被係止部を設ける代わりに、ホルダ３３に雨除け３５をねじ止めするようにしてもよい。
【図面の簡単な説明】
【００６０】
【図１】一体型空気調和機の概略図（側面図）
【図２】一体型空気調和機の概略図（平面図）
【図３】一体型空気調和機の斜視図（正面側から見た図）
【図４】一体型空気調和機の斜視図（背面側から見た図）
【図５】雨水浸入防止装置を示す分解斜視図（取付口が横長の場合）
【図６】雨水浸入防止装置を示す斜視図（取付口が横長の場合）
【図７】雨水浸入防止装置を示す分解斜視図（取付口が縦長の場合）
【図８】雨水浸入防止装置を示す斜視図（取付口が縦長の場合）
【図９】ホルダを示す図であり、（ａ）は平面図、（ｂ）は背面図（室内側から見た図）、（ｃ）はＡ−Ａ断面図、（ｄ）はＢ−Ｂ断面図、（ｅ）はＣ−Ｃ断面図
【図１０】雨除けを示す図であり、（ａ）は正面図（室外側から見た図）、（ｂ）は平面図、（ｃ）はＤ−Ｄ断面図、（ｄ）はＥ−Ｅ断面図、（ｅ）は右側面図
【図１１】取付パネルを示す図であり、（ａ）は背面図（室内側から見た図）、（ｂ）はＦ−Ｆ断面図
【図１２】雨水浸入防止装置を示す断面図（組立前）
【図１３】雨水浸入防止装置を示す断面図（組立後）
【符号の説明】
【００６１】
２５  壁
３０  窓
３１  取付パネル
３２  取付口
３３  ホルダ
３４  ダクトコネクタ
３５  雨除け
６０  雨水浸入防止装置
６１  雨除け嵌合部
６２  係止爪（雨除け）
６３  係止穴（雨除け嵌合部）
６４  切欠
６７  ネット
【図１】
2006234304.tif 000003
【図２】
2006234304.tif 000004
【図３】
2006234304.tif 000005
【図４】
2006234304.tif 000006
【図５】
2006234304.tif 000007
【図６】
2006234304.tif 000008
【図７】
2006234304.tif 000009
【図８】
2006234304.tif 000010
【図９】
2006234304.tif 000011
【図１０】
2006234304.tif 000012
【図１１】
2006234304.tif 000013
【図１２】
2006234304.tif 000014
【図１３】
2006234304.tif 000015